(57)【特許請求の範囲】
【請求項１】
コントロールサイトのコントローラから供給される予め定められた範囲の任意の直流電圧からなる制御信号によりズームレンズを駆動する監視用カメラの駆動装置において、
前記予め定められた範囲の任意の直流電圧から前記予め定められた範囲の任意の直流電圧より低い所定の駆動用電圧に変換する定電圧回路と、前記予め定められた範囲の直流電圧の最高電圧の時のみ前記所定の駆動用電圧に変換するＤＣ−ＤＣコンバータと、前記定電圧回路と前記ＤＣ−ＤＣコンバータとを選択的に手動で切り替えて接続するスライドスイッチとを備え、
前記コントローラからの直流電圧が前記予め定められた範囲の任意の直流電圧の場合は前記スライドスイッチを前記定電圧回路側に接続し、前記コントローラからの直流電圧が前記予め定められた範囲の直流電圧の最高電圧の場合は前記スライドスイッチを前記ＤＣ−ＤＣコンバータ側に接続し、前記スライドスイッチにより前記ＤＣ−ＤＣコンバータを接続したとき該ＤＣ−ＤＣコンバータが前記コントローラからの出力電流を電圧を落として電流を増やした前記所定の駆動用電圧に変換することを特徴とする監視用カメラのズームレンズ駆動装置。
【請求項２】
前記ズームレンズは、インナーフォーカス方式で、１群，２群，３群，４群レンズを備えており、画角レンズである２群レンズを駆動する２群レンズ駆動モータにステッピングモータを用いたことを特徴とする請求項１記載の監視用カメラのズームレンズ駆動装置。
【発明の詳細な説明】
【０００１】
【発明の属する技術分野】
本発明は、コントロールサイトとカメラサイトが離れているＣＣＴＶシステムにおける監視用カメラのズームレンズ駆動装置に関する。
【０００２】
【従来の技術】
従来、インナーフォーカス方式の監視用カメラのズームレンズ駆動装置は、特開平７−２３２６９号公報に記載されたものが知られている。図３は、そのズームレンズ駆動装置の構成を示したものであり、マイクロコンピュータ１、ＲＡＭ２、ＤＣモータドライバ３、ステッピングモータドライバ４、２群レンズ駆動モータ５、４群レンズ駆動モータ６、ポテンショメータ７、零点検出器８、Ｎｅａｒ／Ｆａｒ方向検出器９、Ｔｅｌｅ／Ｗｉｄｅ方向検出器１０、整流器１１、リレー１２、定電圧回路１３、コンデンサ１４、ＥＥＰＲＯＭ１５で構成されている。
【０００３】
【発明が解決しようとする課題】
しかしながら、上記従来のズームレンズ駆動装置においては、定電圧回路を使用する関係でロスが多く、コントロールサイトからの出力電圧を高くしても出力電流を小さくできず、したがって、最大出力電流の比較的小さい、安価なコントローラを使用することができないという問題を有していた。
【０００４】
本発明は、上記従来の問題点を解決するもので、最大出力電流の比較的小さい安価なコントローラを使用することができる監視用カメラのズームレンズ駆動装置を提供することを目的とする。
【０００５】
【課題を解決するための手段】
上記問題を解決するために、本発明は、コントロールサイトのコントローラから供給される予め定められた範囲の任意の直流電圧からなる制御信号によりズームレンズを駆動する監視用カメラの駆動装置において、前記予め定められた範囲の任意の直流電圧から前記予め定められた範囲の任意の直流電圧より低い所定の駆動用電圧に変換する定電圧回路と、前記予め定められた範囲の直流電圧の最高電圧の時のみ前記所定の駆動用電圧に変換するＤＣ−ＤＣコンバータと、前記定電圧回路と前記ＤＣ−ＤＣコンバータとを選択的に手動で切り替えて接続するスライドスイッチとを備え、前記コントローラからの直流電圧が前記予め定められた範囲の任意の直流電圧の場合は前記スライドスイッチを前記定電圧回路側に接続し、前記コントローラからの直流電圧が前記予め定められた範囲の直流電圧の最高電圧の場合は前記スライドスイッチを前記ＤＣ−ＤＣコンバータ側に接続し、前記スライドスイッチにより前記ＤＣ−ＤＣコンバータを接続したとき該ＤＣ−ＤＣコンバータが前記コントローラからの出力電流を電圧を落として電流を増やした前記所定の駆動用電圧に変換することを特徴とする。
【０００６】
この構成により、コントロールサイトのコントローラから供給される予め定められた範囲の任意の直流電圧から前記予め定められた範囲の任意の直流電圧より低い所定の駆動用電圧に変換する定電圧回路と、前記予め定められた範囲の直流電圧の最高電圧の時のみ前記所定の駆動用電圧に変換するＤＣ−ＤＣコンバータと、前記定電圧回路と前記ＤＣ−ＤＣコンバータとを選択的に手動で切り替えて接続するスライドスイッチとを備えたことにより、コントロールサイトのコントローラからの出力電圧が予め定められた範囲の任意の電圧の場合と、前記予め定められた範囲の最高電圧の場合とに対応が可能であり、また、最高電圧を使用する駆動装置においては、コントロールサイトのコントローラからの出力電流を低減することができる。
【０００７】
また、画角レンズである２群レンズを駆動する２群レンズ駆動モータにステッピングモータを用いるようにすれば、コントロールサイトからの出力電流はやや増えるものの、停止精度が向上するので、高倍率ズームにすることができる。
【０００８】
【発明の実施の形態】
以下、本発明の実施の形態について、図面を参照しながら詳細に説明する。
【０００９】
（実施の形態１）
図１は、本発明の実施の形態１におけるズームレンズ駆動装置の構成を示したものである。図１において、１はマイクロコンピュータで、ズーミングしてもピントがぼけないように２群レンズと４群レンズの位置を制御するものであり、ワンチップで構成されている。２はマイクロコンピュータ１に内蔵されたＲＡＭであり、レンズの位置制御に関する演算を行う。３はＤＣモータからなる２群レンズ駆動モータ５をドライブするＤＣモータドライバで、ワンチップで構成されている。４はステッピングモータからなる４群レンズ駆動モータ６をドライブするステッピングモータであり、ワンチップで構成されている。７はポテンショメータで、２群レンズの位置を検出するもので、抵抗体センサで構成されている。８は零点検出器であり、４群レンズの位置を検出するもので、フォトインタラプタで構成されている。
【００１０】
また、９はフォトカプラで構成されたＮｅａｒ／Ｆａｒ方向検出器であり、コントロールサイトから送られてきたフォーカス信号電圧の極性によりレンズの移動方向を検出する。１０はフォトカプラで構成されたＴｅｌｅ／Ｗｉｄｅ方向検出器で、コントロールサイトから送られてきた画角信号電圧の極性によりレンズの移動方向を検出する。１１は整流器であり、信号の極性が＋／−どちらの電圧であっても＋の電圧にするもので、ダイオードで構成されている。１２はリレーであり、ＦＯＣＵＳ／ＺＯＯＭどちらの信号が入ってきても、電源電圧として出力するもので、小型ＤＣリレーで構成されている。
【００１１】
１３は定電圧回路であり、入力電圧が変化しても一定電圧を出力するもので、定電圧ＩＣで構成されている。１４はコンデンサで、ＦＯＣＵＳ／ＺＯＯＭの電圧が切れても暫くマイクロコンピュータを動作させるものであり、電解コンデンサで構成されている。１５はＥＥＰＲＯＭで、ＦＯＣＵＳ／ＺＯＯＭの電圧が切れても位置情報が消えないようにするものである。１７はＤＣ−ＤＣコンバータであり、電圧変換効率がよく、かつ電圧を落とすことにより電流を増やすことができる。１６は切替スイッチで、スライドスイッチからなり、定電圧回路１３またはＤＣ−ＤＣコンバータ１７の何れかを選択的に切り替えて接続する。
【００１２】
次に、本実施の形態１における動作を説明する。まず、フォーカスライン・コモンライン間、またはズームライン・コモンライン間には、図示しないコントロールサイトから予め定められた範囲、すなわちここでは±（４．５〜１２）Ｖの直流信号電圧が入力し、これにより、ズームレンズ駆動装置を動作させることができる。この入力電圧が最低電圧（４．５Ｖ）から最高電圧（１２Ｖ）までの任意の電圧を用いる場合は、切替スイッチ１６を定電圧回路１３側に接続し、また、特に、最高電圧（１２Ｖ）を使用するときは、切替スイッチ１６をＤＣ−ＤＣコンバータ１７側に接続する。
【００１３】
そこで、切替スイッチ１６を定電圧回路１３側に接続した場合、±（４．５〜１２）Ｖの任意の電圧からなるＦＯＣＵＳ／ＺＯＯＭのどちらか一方の入力信号が入ってきても、整流器１１とリレー１２で＋の単一電圧にし、定電圧回路１３で所定の駆動用電圧（３Ｖ）にする。そして、マイクロコンピュータ１とＲＡＭ２を用い、ＤＣモータドライバ３とステッピングモータドライバ４を制御し、ポテンショメータ７と零点検出器８でレンズの位置を検出しながら、２群レンズ駆動モータ５と４群レンズ駆動モータ６を駆動し、演算した位置にレンズを停止させる。コンデンサ１４でＦＯＣＵＳ／ＺＯＯＭの電圧が切れても暫くマイクロコンピュータを動作させ、その間にＥＥＰＲＯＭ１５へ位置を記憶する。
【００１４】
次に、切替スイッチ１６をＤＣ−ＤＣコンバータ１７側に接続した場合、±１２Ｖの最高電圧からなるＦＯＣＵＳ／ＺＯＯＭのどちらか一方の入力信号が入ってきても、整流器１１とリレー１２で＋の単一電圧にし、ＤＣ−ＤＣコンバータ１７で所定の電圧（３Ｖ）にする。この時は、コントロールサイトからの出力電流を、定電圧回路を用いた場合に比較して約３分の１に低減することができる。そして、マイクロコンピュータ１とＲＡＭ２を用い、ＤＣモータドライバ３とステッピングモータドライバ４を制御し、ポテンショメータ７と零点検出器８でレンズの位置を検出しながら、２群レンズ駆動モータ５と４群レンズ駆動モータ６を駆動し、演算した位置にレンズを停止させる。コンデンサ１４でＦＯＣＵＳ／ＺＯＯＭの電圧が切れても暫くマイクロコンピュータを動作させ、その間にＥＥＰＲＯＭ１５へ位置を記憶する。
【００１５】
本発明の実施の形態１によるコントロールサイトからの供給電流特性と従来例の供給電流特性の比較を（表１）に示している。
【００１６】
【表１】
0004141001.tif 000002
【００１７】
この（表１）から明らかなように、本実施の形態１による監視用カメラのズームレンズ駆動装置は、コントロールサイトからの供給電流を低減することができる。したがって、最大出力電流の比較的小さい安価なコントローラを使用することができる。
【００１８】
（実施の形態２）
図２は、本発明の実施形態２におけるズームレンズ駆動装置を示したもので、図１と同一の構成要素には同一符号を付してある。図１と異なる点は、２群レンズ駆動モータ２５としてステッピングモータを用い、それを駆動するステッピングモータドライバ２３および２群レンズの位置を検出する零点検出器２７を配したことである。
【００１９】
このように構成された本実施の形態２によれば、２群レンズ駆動モータ２５にステッピングモータを用いることにより、流れる電流はやや増えるが、停止精度が向上するので、高倍率ズームにすることができるという利点がある。
【００２０】
【発明の効果】
以上説明したように、本発明によれば、コントロールサイトのコントローラから供給される予め定められた範囲の任意の直流電圧から前記予め定められた範囲の任意の直流電圧より低い所定の駆動用電圧に変換する定電圧回路と、前記予め定められた範囲の直流電圧の最高電圧の時のみ前記所定の駆動用電圧に変換するＤＣ−ＤＣコンバータと、前記定電圧回路と前記ＤＣ−ＤＣコンバータとを選択的に手動で切り替えて接続するスライドスイッチとを備えた構成としているので、コントロールサイトのコントローラからの出力電圧が予め定められた範囲の任意の電圧の場合と、前記予め定められた範囲の最高電圧の場合とに対応が可能であり、また、最高電圧を使用する駆動装置においては、コントロールサイトのコントローラからの出力電流を低減することができ、したがって、一般に市販されている安価なコントローラを適用することができ、コストの低減を図ることができる効果がある。
【図面の簡単な説明】
【図１】本発明の実施の形態１における監視用カメラのズームレンズ駆動装置の構成図
【図２】本発明の実施の形態２における監視用カメラのズームレンズ駆動装置の構成図
【図３】従来例の監視用カメラのズームレンズ駆動装置の構成図
【符号の説明】
１  マイクロコンピュータ
２  ＲＡＭ
３  ＤＣモータドライバ
４，２３  ステッピングモータドライバ
５，２５  ２群レンズ駆動モータ
６  ４群レンズ駆動モータ
７  ポテンショメータ
８，２７  零点検出器
９  Ｎｅａｒ／Ｆａｒ方向検出器
１０  Ｔｅｌｅ／Ｗｉｄｅ方向検出器
１１  整流器
１２  リレー
１３  定電圧回路
１４  コンデンサ
１５  ＥＥＰＲＯＭ
１６  切替スイッチ
１７  ＤＣ−ＤＣコンバータ
【図１】
0004141001.tif 000003
【図２】
0004141001.tif 000004
【図３】
0004141001.tif 000005